(57)【要約】【課題】  消しゴム等を使用した後に生じた消し屑等を手軽に取り除く。【解決手段】  厚さが１ｃｍ前後のスポンジ等の軟らかく弾力性のある素材で形成された、中心部に孔を開けた円筒体又は多角筒体の上部に硬質の合成樹脂等の硬めの素材を被せて固定し孔の中の上壁に粘着盤を下向きに取り付けて、消し屑をスポンジ等の辺縁で孔の輪郭に掃き集めて、スポンジ等の圧縮と伸展で消し屑を粘着盤に粘着し取り除く。  スポンジ等の上方に硬めの各種の合成樹脂、金属、木製等の素材で形成された部分を取り付け二層型の本体にして、握りやすい厚さにし、上方の孔から粘着盤の交換も手軽にする。二層型本体の上部の素材を固めの合成樹脂、金属、木製等にすることにより、上部の横壁を薄くして、上部の孔の部分に消しゴム容器を付けることも可能にする。【選択図】  図１
2005132081.tif 000002
【特許請求の範囲】
【請求項１】
中心部に孔を開けた、厚さが約１ｃｍ前後の、スポンジ等の軟らかく弾力性のある素材で形成した円筒体又は多角筒体の上部を各種の合成樹脂等の硬い素材の外郭で被せて固定し、下の孔中の上壁に粘着盤を下向きに取り付け、孔の輪郭の中に消し屑を掃き集めて粘着させて除去する、スタンプ形式の消し屑取り。
【請求項２】
本体の構造を、下方のスポンジ等の孔より大きめの孔を有する、各種の合成樹脂、又は金属、木製等で形成された部分を上方に合体した二層型の円筒体又は多角筒体とし、粘着盤を下向きに下のスポンジの孔上に置いて、上層の孔に容積と形体が等しい各種の硬質の合成樹脂等の固形体をはめ込んで、その上方に固めの外套を被せた、粘着盤の交換が手軽で、下部の構造が請求項１記載と同様の、スタンプ形式の消し屑取り。
【請求項３】
上方の孔に、孔の容積と形体が等しい、断面が凹型の容器をはめ込んで外套で蓋をした、内部の構造が請求項２記載と同様のスタンプ形式の、消しゴム容器付き消し屑取り。
【発明の詳細な説明】
【技術分野】
【０００１】  本発明は、スポンジや合成ゴム等の軟らかく弾力性のある素材と、粘着盤（シート又はマット）を組み合わせた、消しゴム等を使用した後に生じる消し屑を手軽に卓上や紙上等から取り除くための消し屑取りに関するものである。
【背景技術】
【０００２】  従来、消しゴムを使用した後には消し屑が生じ、その都度、取り除くには煩わしい事が多い。また、取り除くことを忘れると、卓上や床等を汚してしまうことになる。そのために、消し屑等を除去する各種の屑取りローラ等やスポイド式の吸い取り機構を有する消しゴム等が考えられている。視野を広げると、電気掃除機の原理を応用した電池式のミニ卓上掃除機等が開発される可能性もある。
【発明の開示】
【発明が解決しようとする課題】
【０００３】  これには次の欠点があった。
イ）消しゴムを使用した後、消し屑をその都度、指等で払い除き、また、そのまま執筆を続け作業を終えてから、消し屑を集めて処理しなければならなかった。
ロ）各種の屑取りローラ等では、消し屑が散在している時には掃き集める機能がなく、一度にうまく掬えない時には繰り返し多方向に移動させなければならない。
ハ）回転ブラシや回転スポンジを取り付けた圧着ローラに於いても、ロ）と同様に、掃き集める機能ではなく、ローラで圧着し掬い上げた屑を容器に入れるためのものである。また、ローラやブラシ、及び容器の中の汚れにも気を配らなければならない。
ニ）スポイド式の吸い取り機では吸い取り口が小さく手間がかかりやすいと考えられる。
ホ）電池式の卓上ミニ掃除機の開発に於いても同様に上記の種々の欠点は有すると考えられる。更に製造コストも高くなると考えられる。
本発明はこれらの欠点を解決するために成されたものである。
【課題を解決するための手段】
【０００４】  厚さ（高さ）が約１ｃｍ前後の、中心部に円形又は多角形の孔を開けたスポンジ等の軟らかく弾力性のある素材で形成された円筒体又は多角筒体の、孔の輪郭に消し屑等を掃き集めて、上方の粘着盤に粘着させて卓上や紙上から除去する、スタンプ形式の消し屑取りである。最も単純な形としては、スポンジ等の上方を硬めの合成樹脂等で被せて外郭として固定し、孔の上部に面積が孔の水平断面に等しい粘着盤を下向きに取り付けて固定した構造にする。天辺に取っ手を付けると操作が楽になる。【０００５】  本体の形状を、上方が硬めの各種の合成樹脂、金属、木製等で形成され、下方がスポンジ等の軟らかく弾力性のある素材等で形成された部分を一体化し、上方の孔の部分を広くした二層型の円筒体又は多角筒体にして、上方の広い孔の方から粘着質を下方に付けた粘着盤（シート又はマット）を挿しこみ、小さなスポンジ等の孔の上部に置いて、上部の孔を大きさが等しい合成樹脂等の固形体で埋め、その上に外套を被せた構造にすると、厚さが握り易く、粘着盤の交換が手軽にできる。【０００６】  二層体の上方部分の素材をプラスチックや各種の合成樹脂体や金属、木製等にして、横壁の厚さを薄くすると、請求項３に示されるような消しゴム容器付きの消し屑取りも可能である。【０００７】  何れの場合も、押すと、力が上方の外套から下部のスポンジ等へ伝わり、スポンジ等が圧縮し粘着盤が卓上又は紙上すれすれとなり消し屑を粘着して、スポンジ等の伸展とともに上方へ移動するという仕組みである。二層型の円筒体又は角筒体をスポンジ等のみで形成することも可能ではあるが、力の伝導と形状維持機能が劣ると考えられるために、上方には、各種の硬めの合成樹脂等以上の硬さを有する素材が適している。
【発明の効果】
【０００８】  本発明を使用することにより、消しゴムを使用した後の消し屑等を、その都度、手軽に一押し二押しで除去することができる。執筆作業を終えてから使用する時でも、下部のスポンジ等の辺縁で消し屑を手軽に掃き集めて、スポンジ等の孔の輪郭部分に収まるようにして、一押し二押しで上部の粘着盤に粘着させて取り除くことができる。軽量で、消し屑はスポンジの孔の中に粘着しているため外からは見えず、卓上に置いても目障りにはならない。請求項２及び３に於いては上方の部分を下方のスポンジ等の部分より長めにして、凹型の外套を付けると、外套を下方に移し粘着盤を隠して蓋として、携帯するのに便利である。請求項２で携帯せず卓上のみで使用するタイプには、蓋として使用する必要がないため、外套に直接上部の孔にはめ込む硬質合成樹脂等の固形体を取り付け凸型にし、更に上部の部分の厚さが薄いものにすることができる。請求項３を利用すると容器付きの消し屑取りが可能である。請求項２及び３では粘着盤の汚れが極まったときには手軽に粘着盤のみを交換することができる。請求項１でも両面テープを使用すると交換は可能である。現在市販されている、洗って使える粘着シートなどを利用すると、何れの場合でも洗って繰り返し使用することも可能である。消し屑と関わる部分が、粘着盤とスポンジ等であるため、洗浄や手入れが簡単である。
【発明を実施するための最良の形態】
【０００９】イ）厚さが約１ｃｍ前後で水平断面が円形又は多角形のスポンジ又は合成ゴム等の中心部に円形又は多角形の孔を開ける。
ロ）スポンジ等の上部に硬めの各種の合成樹脂、金属、木製等の素材で形成された部分を被せて固定する。
ハ）孔の面積に等しい粘着質を下向きに取り付けた粘着盤を、スポンジ等の孔から上部の硬い下壁に取り付ける。
ニ）消し屑を除去する時は、下部のスポンジ等の辺縁部分で掃き集めて、下の孔の輪郭に収まる様にして上から一押し二押しで粘着盤に粘着させて除去する。
ホ）厚さが握り易く、粘着盤の交換を手軽にするために、スポンジ等の上部に下方の孔より大きめの孔を有する、硬質の合成樹脂等の素材で形成された部分を取り付け二層型の本体として、粘着盤をスポンジ等の孔の上に置いて、上方の孔に固形体をはめ込みその上部に外套を被せる方法もある。
ヘ）二層体の形体で、上部の部分をプラスチックや各種の固めの合成樹脂や金属、木製等で形成する時は横壁の厚さが薄く済み、下部にスポンジの孔より大きめの穴の開いた容器型にして、ホ）の固形体の部分を容器にして、消しゴム容器付きの形態にすることが可能である。
【実施例】
【０００１０】  出願人個人の実施例としては、市販の、ポリウレタンとポリエチレンを組み合わせた二層の洗浄用スポンジの硬めのポリエチレン部分をくりぬいて孔を開け、下方のスポンジ部分に一回り小さな孔を開けて本体を作り、上方孔の大きさのボール紙を粘着盤として、下部にスポンジ孔の広さの粘着質を貼り付けて孔の中に下向きに収めて、くりぬいた部分を上方の孔の中に再びはめ込んだ物を卓上に置いて使用している。
【図面の簡単な説明】
【図１】  本発明の請求項２の斜視図
【図２】  本発明の請求項１の断面図
【図３】  本発明の請求項２の断面図
【図４】  本発明の請求項３の断面図
【符号の説明】
１    スポンジや合成ゴム等の素材の円筒体又は多角筒体
２    粘着盤
３    粘着質
４    スポンジ等で囲われた下の孔
５    外套又は外郭
６    消し屑
７    二層筒体のポリエチレン等以上の硬い素材の部分
８    二層筒体の上方の孔
９    上の孔にはめ込む固形体
１０    消しゴムケース
１１    消しゴム
【図１】
2005132081.tif 000003
【図２】
2005132081.tif 000004
【図３】
2005132081.tif 000005
【図４】
2005132081.tif 000006